(57)【要約】【課題】  鉛筆用キャップの鉛筆への被冠深さを、鉛筆の外径にとらわれず、常にほぼ一定にするとともに、鉛筆用キャップの長さを大きくする必要がなく、コンパクトにすることができ、かつ削り角度が小さい鉛筆であっても、芯の尖端が、鉛筆用キャップの前端の空気孔から外部に突出することがなく、芯の折れる虞や安全性が害されず、さらに、鉛筆用キャップを被冠後に再度、取り外す場合にも、特に大きな力は、必要としない鉛筆用キャップを提供する。【解決手段】  鉛筆用キャップ１を鉛筆６に被冠する際に、鉛筆用キャップ１の内面に設けた縮径部分Ｐ１を、鉛筆６を削ったときに生ずる切削斜面７に当接させることにより、鉛筆用キャップ１の鉛筆６への被冠深さの位置決めを行うようにする。【選択図】        図２
2007045090.tif 000002
【特許請求の範囲】
【請求項１】
鉛筆用キャップを鉛筆に被冠する際に、鉛筆用キャップの内面に設けた縮径部分を、鉛筆を削ったときに生ずる切削斜面に当接させることにより、鉛筆用キャップの鉛筆への被冠深さの位置決めを行うようにしたことを特徴とする鉛筆用キャップ。
【請求項２】
鉛筆用キャップの内面に設けた縮径部分を、鉛筆を削ったときに生ずる切削斜面のうち、露出した芯、および切削斜面の後端から切削斜面全体の長さの１割に当たる部分を除く中央部分に当接させるようにしたことを特徴とする請求項１記載の鉛筆用キャップ。
【請求項３】
鉛筆用キャップの前後方向の所望の中間位置において、内径を全周に亘り縮径することにより、縮径部分を形成したことを特徴とする請求項１または２記載の鉛筆用キャップ。
【請求項４】
鉛筆用キャップの内面に、前後方向の複数のリブを設け、このリブにより、鉛筆用キャップの前後方向の所望の中間位置において、縮径部分を形成したことを特徴とする請求項１または２記載の鉛筆用キャップ。
【請求項５】
鉛筆用キャップの外径を、内径の縮径に応じて、縮径するか、または、鉛筆用キャップの前後方向の全体に亘って、ほぼ一定としたことを特徴とする請求項１〜４のいずれかに記載の鉛筆用キャップ。
【発明の詳細な説明】
【技術分野】
【０００１】
本発明は、鉛筆削り器等によって削り、芯を突出させた鉛筆の前端部に被冠する鉛筆用キャップに関する。
【背景技術】
【０００２】
鉛筆用キャップは、突出させた芯を保護するとともに、尖った芯で、身体等を傷つけることを防止するために、鉛筆の前端部に被冠して使用される。
【０００３】
図９，図１０は、従来一般に使用されている鉛筆用キャップ(01)を、鉛筆(02)に被冠した状態を示す縦断面図である。
【０００４】
鉛筆用キャップ(01)は、後端(03)に開口部(04)が、前端(05)に空気孔(06)が、それぞれ設けられ、かつ後端(03)から前方へほぼ４分の１の位置より、前方に向けて漸次縮径されたほぼ筒状体をなしている。後端(03)には、鍔縁が設けられている。
【０００５】
空気孔(06)は、子供等が、鉛筆用キャップ(01)を誤飲した場合に、危険防止のため、空気の流通口として機能させるものである。
【０００６】
鉛筆用キャップ(01)の鉛筆(02)への被冠深さは、鉛筆用キャップ(01)における漸次縮径されている内面(07)が、鉛筆(02)の切削された部分の後端境界部(08)に当接することにより規制される。
【０００７】
しかし、このような鉛筆用キャップ(01)では、次のような問題がある。
(１)  芯を突出させるために切削した部分の後端境界部(08)の外径は、鉛筆(02)の外径と一致している。しかし、鉛筆(02)の外径は、鉛筆(02)の断面形状が、六角形か円形かによって異なるばかりでなく、鉛筆(02)の表面塗膜の厚さによっても異なる。そのため、鉛筆(02)の種類によって、鉛筆用キャップ(01)の鉛筆(02)への被冠深さが異なることとなり、必然的に、鉛筆用キャップ(01)の長さを大きくしなければならない。このように長さを大きくした場合、筆箱等に収容し難くなる。
【０００８】
(２)  図９は、鉛筆用キャップ(01)を、削り角度θ01が標準的な鉛筆(02)に被冠した場合を示しているが、図１０に示すように、削り角度θ02が小さい鉛筆(09)に被冠したときには、鉛筆(09)の芯(010)が、前端(05)の空気孔(06)から突出することがあり、芯(010)が折れる虞があるばかりでなく危険でもある。
【０００９】
(３)  鉛筆用キャップ(01)の鉛筆(02)(09)への被冠深さの位置決めが不安定であるため、被冠後に、再度、鉛筆用キャップ(01)を鉛筆(02)(09)から取り外す際に、鉛筆用キャップ(01)の被冠深さにより、取り外すための引張り力が異なり、大きな力を必要とする場合がある。
なお、図９，図１０に示したような従来の鉛筆用キャップ(01)は、周知のものであり、適当な特許文献は見当たらない。
【発明の開示】
【発明が解決しようとする課題】
【００１０】
本発明は、上記の問題点に鑑み、鉛筆用キャップの鉛筆への被冠深さを、鉛筆の外径にとらわれず、常にほぼ一定にするとともに、鉛筆用キャップの長さを大きくする必要がなく、コンパクトにすることができ、かつ削り角度が小さい鉛筆であっても、芯の尖端が、鉛筆用キャップの前端の空気孔から外部に突出することがなく、芯の折れる虞や安全性が害されず、さらに、鉛筆用キャップを被冠後に再度、取り外す場合にも、特に大きな力は、必要としない鉛筆用キャップを提供することを目的とする。
【課題を解決するための手段】
【００１１】
上記課題は、特許請求の範囲における各請求項に示すように、下記の構成を備える発明によって解決される。
(１)  鉛筆用キャップを鉛筆に被冠する際に、鉛筆用キャップの内面に設けた縮径部分を、鉛筆を削ったときに生ずる切削斜面に当接させることにより、鉛筆用キャップの鉛筆への被冠深さの位置決めを行うようにした鉛筆用キャップとする。
【００１２】
(２)  上記(１)項において、鉛筆用キャップの内面に設けた縮径部分を、鉛筆を削ったときに生ずる切削斜面のうち、露出した芯、および切削斜面の後端から切削斜面全体の長さの１割に当たる部分を除く中央部分に当接させるようにする。
【００１３】
(３)  上記(１)項または(２)項において、鉛筆用キャップの前後方向の所望の中間位置において、内径を全周に亘り縮径することにより、縮径部分を形成する。
【００１４】
(４)   上記(１)項または(２)項において、鉛筆用キャップの内面に、前後方向の複数のリブを設け、このリブにより、鉛筆用キャップの前後方向の所望の中間位置において、縮径部分を形成する。
【００１５】
(５)  上記(１)項〜(４)項のいずれかにおいて、鉛筆用キャップの外径を、内径の縮径に応じて、縮径するか、または、鉛筆用キャップの前後方向の全体に亘って、ほぼ一定とする。
【発明の効果】
【００１６】
本発明によると、次のような効果が奏せられる。
請求項１記載の発明によれば、鉛筆用キャップの内面に設けた縮径部分を、鉛筆の切削斜面に当接させるようになっているため、鉛筆用キャップの鉛筆への被冠深さを、鉛筆の外径にとらわれず、常にほぼ一定にすることができるとともに、被冠深さがほぼ一定であることから、鉛筆用キャップの長さを大きくする必要がなく、コンパクトにすることができる。このため鉛筆用キャップを被冠した鉛筆の長さも、左程長くなることがなく、筆箱に容易に収容することができる。
さらに削り角度が小さい鉛筆であっても、被冠深さがほぼ一定であるため、芯の尖端が鉛筆用キャップの前端の空気孔から外部に突出することがなく、芯の折れる虞や安定性が害されることもない。
さらにまた、鉛筆用キャップを被冠後に再度、鉛筆から取り外す場合にも、被冠深さがほぼ一定であるため、特に大きな力は、必要とせず、所定の力で取り外すことができる。
【００１７】
請求項２記載の発明によれば、鉛筆用キャップの内面に設けた縮径部分を、鉛筆の切削斜面に安定して当接させることができる。
【００１８】
請求項３記載の発明によれば、鉛筆用キャップの前後方向の所望の中間位置において、内径が全周に亘り、縮径されているため、鉛筆用キャップを、鉛筆の切削斜面に安定して当接させることができる。
【００１９】
請求項４記載の発明によれば、リブにより鉛筆用キャップの物理的強度が向上するとともに、鉛筆用キャップの外径を均一とすることが容易である。
【００２０】
請求項５記載の発明によれば、外径のデザインの選択性が多様化される。
【発明を実施するための最良の形態】
【００２１】
図１は、本発明の鉛筆用キャップの一実施形態を示す斜視図、図２，図３は、図１に示した鉛筆用キャップの使用状態を示す縦断面図である。
【００２２】
本発明の鉛筆用キャップ(１)は、図１，図２に示すように、後端(２)に開口部(３)、前端(４)に空気孔(５)が、それぞれ設けられているという基本的形態は、図９，図１０に示す従来の鉛筆用キャップ(01)と同様である。
【００２３】
本発明の鉛筆用キャップ(１)の特徴は、鉛筆用キャップ(１)を鉛筆(６)に被冠する際に、鉛筆用キャップ(１)の内面に設けた縮径部分を、鉛筆(６)を削ったときに生ずる切削斜面(７)に当接させることにより、鉛筆用キャップ(１)の鉛筆(６)への被冠深さの位置決めを行うようにしたことである。
ここで、切削斜面(７)とは、図９，図１０において示した、芯を突出させるために切削した部分の後端境界部(08)は含まず、これより前方を指称する。
【００２４】
鉛筆用キャップ(１)は、後端(２)から前端(４)に向かうほぼ中央において、内径が漸次縮径され、次いである程度縮径された後は、前端(４)に至るまで同一の内径となるように形成されている。外径も内径と同様に縮径されている。
【００２５】
後端(２)の開口部(３)における内径２Ｒが、ほぼ中央において漸次縮径され、内径２ｒとなっている。
【００２６】
この内径が縮径された２ｒを有する内面のうち、最後位部Ｐ１において、鉛筆(６)の切削斜面(７)に当接し、これにより鉛筆用キャップ(１)の鉛筆(６)への被冠深さの位置決めがなされている。
【００２７】
鉛筆用キャップ(１)における縮径部分が、鉛筆(６)の切削斜面(７)に当接する部分Ｐ１は、前記切削斜面(７)のうち、露出した芯(８)、および切削斜面(７)の後端から切削斜面(７)の全体長さの１割に当たる部分を除く中央部分において当接させることが、安定して位置決めを行ううえで好ましい。
【００２８】
鉛筆用キャップ(１)における縮径の勾配を示す角度θ１は、鉛筆(６)の削り角度θ２よりも大きくなっている（θ１＞θ２）。
【００２９】
図２は、削り角度θ２が標準的なほぼ２５度前後である鉛筆(６)に、鉛筆用キャップ(１)を被冠した場合を示したが、図３は、削り角度θ３が小さいほぼ１６度前後である鉛筆(９)に、鉛筆用キャップ(１)を被冠した場合を示す。
【００３０】
このように削り角度θ３が小さい鉛筆(９)に対して使用したときにも、鉛筆用キャップ(１)の縮径部分Ｐ１を、鉛筆(９)の切削斜面(10)に当接させることより、鉛筆用キャップ(１)の鉛筆(９)への被冠深さの位置決めが確実に行われ、鉛筆(９)の芯(11)の尖端が、鉛筆用キャップ(１)の前端(４)の空気孔(５)から外部に突出することもない。
【００３１】
図４は、第２実施形態の鉛筆用キャップ(12)の斜視図である。図１に示した第１実施形態の鉛筆用キャップ(１)においては、鉛筆(６)に被冠後の鉛筆用キャップ(１)の保持性を良好とするために、鉛筆用キャップ(１)の後半部分にスリット(13)を設けて、弾性作用により保持性が向上するようにしてある。
【００３２】
これに対して、第２実施形態の鉛筆用キャップ(12)においては、その前後方向の全体に亘ってスリット(14)を設けて、前記保持性を更に向上させてある。
【００３３】
図５は、第３実施形態の鉛筆用キャップ(14)の斜視図、図６は、図５に示した鉛筆用キャップ(14)の使用状態を示す縦断面図、図７は、図６におけるVII〜VII線断面図、図８は、図７におけるVIII〜VIII線断面図である。
【００３４】
第１，第２実施形態に示す鉛筆用キャップ(１)(12)においては、その前後方向の中間位置において、内径が全周に亘り縮径されていた。
【００３５】
これに対し、第３実施形態の鉛筆用キャップ(14)では、その内面(14a)に、前後方向の４枚のリブ(15)を設け、これらのリブ(15)により、鉛筆用キャップ(14)の前後方向の中間位置において、縮径部分を形成してある。すなわち、図５〜図７に示すように、後端(16)に開口部(17)、前端(18)に空気孔(19)が、それぞれ設けられている内径が一定の筒状体(20)の内面(14a)における前半部分に、前後方向の４枚のリブ(15)が内周面上に等間隔に設けられている。各リブ(15)の後端は、基部(15a)から遊端(15b)に向けて前向き斜めに切断された形状に形成されている。この前向きの傾斜部(15c)における遊端(15b)により形成された縮径部分Ｐ２を、鉛筆(21)の切削斜面(22)に当接させるようにしてある。
【００３６】
このように、縮径部分Ｐ２を、鉛筆(21)の切削斜面(22)に当接させることにより、鉛筆用キャップ(14)の鉛筆(21)への被冠深さの位置決めがなされている。
【００３７】
図６は、鉛筆用キャップ(14)を、削り角度θ４が標準的な鉛筆(21)に被冠した場合を示したが、図８は、削り角度θ５が小さい鉛筆(23)に被冠した場合を示す。
【図面の簡単な説明】
【００３８】
【図１】本発明の鉛筆用キャップの一実施形態を示す斜視図である。
【図２】図１に示した鉛筆用キャップの使用状態を示す縦断面図である。
【図３】図１に示した鉛筆用キャップの使用状態を示す縦断面図である。
【図４】第２実施形態の鉛筆用キャップの斜視図である。
【図５】第３実施形態の鉛筆用キャップの斜視図である。
【図６】図５に示した鉛筆用キャップの使用状態を示す縦断面図である。
【図７】図６におけるVII〜VII線断面図である。
【図８】図７におけるVIII〜VIII線断面図である。
【図９】従来一般に使用されている鉛筆用キャップを、鉛筆に被冠した状態を示す縦断面図である。
【図１０】従来一般に使用されている鉛筆用キャップを、鉛筆に被冠した状態を示す縦断面図である。
【符号の説明】
【００３９】
(１)鉛筆用キャップ
(２)後端
(３)開口部
(４)前端
(５)空気孔
(６)鉛筆
(７)切削斜面
(８)芯
(９)鉛筆
(10)切削斜面
(11)芯
(12)鉛筆用キャップ
(13)スリット
(14)鉛筆用キャップ
(14a)内面
(15)リブ
(15a)基部
(15b)遊端
(15c)傾斜部
(16)後端
(17)開口部
(18)前端
(19)空気孔
(20)筒状体
(21)鉛筆
(22)切削斜面
(23)鉛筆
(01)鉛筆用キャップ
(02)鉛筆
(03)後端
(04)開口部
(05)前端
(06)空気孔
(07)内面
(08)後端境界部
(09)鉛筆
(010)芯
【図１】
2007045090.tif 000003
【図２】
2007045090.tif 000004
【図３】
2007045090.tif 000005
【図４】
2007045090.tif 000006
【図５】
2007045090.tif 000007
【図６】
2007045090.tif 000008
【図７】
2007045090.tif 000009
【図８】
2007045090.tif 000010
【図９】
2007045090.tif 000011
【図１０】
2007045090.tif 000012